(57)【要約】【課題】視聴制限されている番組を視聴する際の不都合を解消し得る受信装置を提供する。【解決手段】放送信号Ｓｂを受信するチューナ１１と、チューナ１１によって受信された放送信号Ｓｂに基づく番組を表示部２１に表示させる表示処理を実行すると共にその番組が視聴制限されているときにその表示を制限する表示制限処理を実行する制御部１６とを備え、制御部１６は、視聴制限されている番組の開始時刻よりも所定時間前の時点でその番組が視聴制限されている旨を報知する。【選択図】図１
2006295279.tif 000002
【特許請求の範囲】
【請求項１】
放送信号を受信する受信部と、前記受信部によって受信された前記放送信号に基づく番組を表示部に表示させる表示処理を実行すると共に当該番組が視聴制限されているときにその表示を制限する表示制限処理を実行する制御部とを備えた受信装置であって、
前記制御部は、前記視聴制限されている番組の開始時刻よりも所定時間前の時点で当該番組が視聴制限されている旨を報知する受信装置。
【請求項２】
前記制御部は、前記番組の表示制限を解除する暗証番号が操作部を介して入力されたときに当該番組についての前記表示制限処理の実行を停止する請求項１記載の受信装置。
【請求項３】
前記受信部は、前記番組に関するレイティング情報を受信可能に構成され、
前記制御部は、前記レイティング情報に基づいて前記表示制限処理を実行する請求項１または２記載の受信装置。
【請求項４】
請求項１から３のいずれかに記載の受信装置と、前記受信装置によって受信された前記放送信号に基づく前記番組を表示する前記表示部とを備えているテレビ。
【発明の詳細な説明】
【技術分野】
【０００１】
本発明は、視聴制限されている番組の表示を制限する受信装置およびその受信装置を備えたテレビに関するものである。
【背景技術】
【０００２】
この種のテレビとして、特開平８−１８８８２号公報に開示されたテレビジョン受像機が知られている。このテレビジョン受像機では、設定入力器を用いてチャンネル番号および放送時間帯（放送開始時刻および放送終了時刻）を入力することにより、任意の番組に対して視聴制限を設定することが可能となっている。この場合、このテレビジョン受像機では、設定入力器を用いて所定の暗証番号を入力することで、視聴制限の設定や、設定した視聴制限の解除が可能となっている。このため、設定した視聴制限が子供などによって容易に解除される事態が防止されている。
【特許文献１】特開平８−１８８８２号公報（第３頁、第１図）
【発明の開示】
【発明が解決しようとする課題】
【０００３】
ところが、従来のテレビジョン受像機には、以下の問題点がある。すなわち、このテレビジョン受像機では、視聴制限を設定したチャンネルを選択している状態において、設定した放送開始時刻が到来したときには、その瞬間から映像の表示が制限される。一方、このテレビジョン受像機では、表示制限を解除する際に、所定の暗証番号の入力が必要となっている。このため、例えば、視聴制限を設定した番組を視聴しようとしたユーザーは、視聴制限を設定したことを忘れているときには、その番組の放送開始時間を経過して表示が制限されるまでそのことに気が付かない結果、番組の最初の部分を見逃すことがあるという問題点がある。
【０００４】
本発明は、かかる問題点に鑑みてなされたものであり、視聴制限されている番組を視聴する際の不都合を解消し得る受信装置およびテレビを提供することを主目的とする。
【課題を解決するための手段】
【０００５】
上記目的を達成すべく本発明に係る受信装置は、放送信号を受信する受信部と、前記受信部によって受信された前記放送信号に基づく番組を表示部に表示させる表示処理を実行すると共に当該番組が視聴制限されているときにその表示を制限する表示制限処理を実行する制御部とを備えた受信装置であって、前記制御部は、前記視聴制限されている番組の開始時刻よりも所定時間前の時点で当該番組が視聴制限されている旨を報知する。
【０００６】
この受信装置では、視聴制限されている番組の放送開始時刻よりも所定時間前の時点で、制御部がその番組が視聴制限されている旨を報知する。このため、視聴制限する番組を登録したユーザーがその番組を視聴しようとしたときに、その登録の事実を忘れていたとしても、その番組が表示制限される旨を放送開始前にユーザーに確実に認識させることができる。したがって、表示制限の解除を視聴制限された番組の放送開始時間の到来に先立て行うことができる結果、番組の最初の部分を見逃すことなく、視聴を希望する番組を最初から確実に視聴することができる。
【０００７】
また、本発明に係る受信装置は、上記の受信装置において、前記制御部は、前記番組の表示制限を解除する暗証番号が操作部を介して入力されたときに当該番組についての前記表示制限処理の実行を停止する。
【０００８】
この受信装置では、暗証番号が操作部を介して入力されたときに、制御部が視聴制限されている番組の表示制限処理の実行を停止する。このため、例えば視聴制限する番組を登録した大人以外の子供等によって表示制限が容易に解除される事態を確実に防止することができる。
【０００９】
また、本発明に係る受信装置は、上記の受信装置において、前記受信部は、前記番組に関するレイティング情報を受信可能に構成され、前記制御部は、前記レイティング情報に基づいて前記表示制限処理を実行する。
【００１０】
この受信装置では、制御部が、受信部によって受信されたレイティング情報に基づいて表示制限処理を実行する。このため、視聴制限する番組の手動による登録作業を省略することができる。したがって、視聴制限する番組を確実かつ極めて容易に登録することができる。
【００１１】
また、本発明に係るテレビは、上記の受信装置と、受信装置によって受信された放送信号に基づく番組を表示する表示部とを備えている。
【００１２】
このテレビは、上記の受信装置と表示部とを備えている。このため、上記の受信装置が有する効果と同様の効果を実現することができる。
【発明を実施するための最良の形態】
【００１３】
以下、本発明に係る受信装置およびテレビの最良の形態について、添付図面を参照して説明する。図１に示すテレビ１は、本発明に係るテレビの一例であって、ユーザーによる設定操作や、番組（テレビ番組）に予め付加されている視聴制限データに基づく自動設定により、所定の番組の視聴を制限可能に構成されている。具体的には、テレビ１は、本体部２およびリモコン３を備えている。本体部２は、チューナ１１、プリセットデータ記憶部１２、選局処理部１３、ＥＰＧデータ処理部１４、キー入力処理部１５、制御部１６、制限番組データ記憶部１７、タイマ１８、映像音声処理部１９、映像出力部２０、表示部２１、音声出力部２２、スピーカ２３および暗証番号記憶部２４を備えている。なお、チューナ１１、プリセットデータ記憶部１２、選局処理部１３、ＥＰＧデータ処理部１４、キー入力処理部１５、制御部１６、制限番組データ記憶部１７、タイマ１８、映像音声処理部１９および暗証番号記憶部２４によって本発明における受信装置が構成される。
【００１４】
チューナ１１は、本発明における受信部に相当し、選局処理部１３の制御に従い、図外のアンテナで受信している放送波から放送信号Ｓｂを抽出して映像音声処理部１９に出力すると共に、この放送波からＥＰＧ（Electronic Program Guide：電子番組ガイド）を表示するためのＥＰＧデータＤ１を抽出してＥＰＧデータ処理部１４に出力する。この場合、ＥＰＧデータＤ１には、例えば、番組の視聴を制限することが好ましい年齢を示すデータ等で構成されて、番組に対して付された等級付けを表すレイティングデータ（レイティング情報）が含まれている。プリセットデータ記憶部１２は、チャンネル番号と放送波の周波数とを対応付けたプリセットデータを記憶する。選局処理部１３は、制御部１６から出力された制御信号Ｓｃ１に従い、制御信号Ｓｃ１で指定されたチャンネル番号に対応する周波数をプリセットデータ記憶部１２に記憶されているプリセットデータに基づいて特定して、その周波数の放送信号Ｓｂを抽出させるための制御信号Ｓｃ２をチューナ１１に出力する。
【００１５】
ＥＰＧデータ処理部１４は、各番組についてのチャンネル、放送時間（放送日、放送開始時刻および放送終了時刻）、番組名およびレイティングデータなどの各種のデータを含んだ番組表データＤ２をチューナ１１によって抽出されたＥＰＧデータＤ１に基づいて生成して制御部１６に出力する。キー入力処理部１５は、受光部を備えて構成されて、リモコン３から出力された赤外線信号Ｓｉを受光して光電変換することにより、リモコン３を用いて行われた操作内容を示す操作信号Ｓｏを制御部１６に出力する。
【００１６】
制御部１６は、例えば、図２に示すテレビ映像Ｐｔを表示部２１の後述するスクリーンパネル３２に表示させる表示処理を実行する。この場合、このテレビ映像Ｐｔの表示が本発明における放送信号に基づく番組の表示に相当する。また、制御部１６は、キー入力処理部１５から出力された操作信号Ｓｏに従って図３に示す制限番組登録処理５０を実行することにより、表示を制限する番組を示す制限番組データＤ３を生成して制限番組データ記憶部１７に登録する（記憶させる）。また、制御部１６は、図６に示す表示制限処理７０を実行することにより、制限番組データＤ３によって特定される視聴制限対象の番組（視聴制限されている番組）の表示を制限すると共に、この視聴制限対象の番組（以下、「制限番組」ともいう）の放送開始時刻よりも所定時間前の時点で、視聴制限番組の開始を報知するためのメッセージ映像Ｐｍ（図７参照）を表示部２１のスクリーンパネル３２に表示させる。
【００１７】
タイマ１８は、日時データを常時生成すると共に、制御部１６によって設定された開始時刻Ｔ（これについては後述する）と日時データとを比較して、その開始時刻Ｔが到来したときに、その旨を報知する報知信号Ｓｔを制御部１６に出力する。
【００１８】
映像音声処理部１９は、チューナ１１から出力される放送信号Ｓｂを信号処理して映像データＤｐおよび音声データＤｓを生成し、その映像データＤｐおよび音声データＤｓを映像出力部２０および音声出力部２２にそれぞれ出力する。映像出力部２０は、制御部１６の制御に従い、例えば、図２に示すテレビ映像Ｐｔを表示させるための表示用信号Ｓｅを映像データＤｐに基づいて生成して表示部２１に出力する。また、映像出力部２０は、制御部１６の制御に従い、図７に示すメッセージ映像Ｐｍをテレビ映像Ｐｔに重ね合わせて表示させるための表示用信号Ｓｅを図外のメモリに記憶されている画像データおよび映像データＤｐに基づいて生成して表示部２１に出力する。さらに、映像出力部２０は、制御部１６の制御に従い、図８に示す視聴制限画面Ｐｒを表示させるための表示用信号Ｓｅをメモリに記憶されている画像データに基づいて生成して表示部２１に出力する。
【００１９】
表示部２１は、図１に示すように、光学エンジン３１およびスクリーンパネル３２を備えている。光学エンジン３１は、本体部２の内部に配設されて、映像出力部２０から出力された表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが図外の反射ミラーによって反射されてスクリーンパネル３２に投射される。スクリーンパネル３２は、投射光Ｌを受光して映像を表示する。音声出力部２２は、制御部１６の制御に従い、映像音声処理部１９から出力されている音声データＤｓに基づいて音声信号Ｓｓを生成してスピーカ２３に出力する。また、音声出力部２２は、制御部１６の制御に従い、表示制限処理７０において番組の表示が制限されるときに音声信号Ｓｓの出力を停止する。暗証番号記憶部２４は、上記の表示制限処理７０における制限番組の表示制限を解除するための暗証番号を記憶する。なお、この暗証番号については既に入力されているものとして、以下説明する。
【００２０】
リモコン３は、本発明における操作部に相当し、図２に示すように、電源スイッチ８１ａ、登録開始スイッチ８１ｂ、選局スイッチ８１ｃ，８１ｃ・・、カーソルキー８１ｄ，８１ｄ・・、決定スイッチ８１ｅおよび登録終了スイッチ８１ｆなどの各種スイッチやキーが配列されて構成され、これらが操作されたときに、各スイッチやキーに対応する赤外線信号Ｓｉを出力する。
【００２１】
次に、テレビ１の全体的な動作について、図面を参照して説明する。このテレビ１では、リモコン３の電源スイッチ８１ａが操作された際に、制御部１６を含む各構成要素に電源が供給されて、各構成要素が作動を開始する。次いで、制御部１６は、表示処理を実行する。具体的には、制御部１６は、直前の電源切断時に選択されていたチャンネル（例えばチャンネルＣＨ１５１）を選局させる制御信号Ｓｃ１を選局処理部１３に出力する。続いて、選局処理部１３が、制御信号Ｓｃ１に従い、チャンネルＣＨ１５１に対応する周波数をプリセットデータ記憶部１２に記憶されているプリセットデータに基づいて特定して、その周波数の放送信号Ｓｂを抽出させるための制御信号Ｓｃ２をチューナ１１に出力する。
【００２２】
次に、チューナ１１が、制御信号Ｓｃ２に従ってチャンネルＣＨ１５１の放送信号Ｓｂを抽出し、映像音声処理部１９が放送信号Ｓｂに基づく映像データＤｐおよび音声データＤｓを映像出力部２０および音声出力部２２にそれぞれ出力する。続いて、映像出力部２０が、映像データＤｐに基づく表示用信号Ｓｅを生成して表示部２１の光学エンジン３１に出力する。これに応じて、光学エンジン３１が、光源からの光を表示用信号Ｓｅに基づく投射光Ｌに変調してスクリーンパネル３２に投射する。また、音声出力部２２が、音声データＤｓに基づく音声信号Ｓｓを生成してスピーカ２３に出力する。これにより、図２に示すように、チャンネルＣＨ１５１のテレビ映像Ｐｔがスクリーンパネル３２に表示されると共にチャンネルＣＨ１５１の音声がスピーカ２３から出力される。
【００２３】
一方、視聴を制限すべき制限番組をＥＰＧ（電子番組ガイド）の中から選択してテレビ１に登録するときには、リモコン３の登録開始スイッチ８１ｂを操作する。この際に、制御部１６は、図３に示す制限番組登録処理５０を実行する。この制限番組登録処理５０では、制御部１６は、まず、図４に示す番組ガイド映像Ｐｇを表示させる（ステップ５１）。具体的には、制御部１６は、選局処理部１３を介して制御信号Ｓｃ２をチューナ１１に出力することにより、ＥＰＧデータＤ１を出力させる。次に、ＥＰＧデータ処理部１４が、チューナ１１から出力されたＥＰＧデータＤ１に基づいて番組表データＤ２を生成して制御部１６に出力する。次いで、制御部１６は、番組表データＤ２を映像出力部２０に転送すると共に、番組表データＤ２に基づく番組ガイド映像Ｐｇを表示させるための制御信号Ｓｃ１を映像出力部２０に出力する。続いて、映像出力部２０が制御信号Ｓｃ１に従って表示用信号Ｓｅを出力することにより、同図に示すように、テレビ映像Ｐｔに代えて、番組ガイド映像Ｐｇがスクリーンパネル３２に表示される。
【００２４】
次に、図４に示す番組ガイド映像Ｐｇ内に表示されている各番組の中から視聴を制限したい番組（例えば、同図に示す「お笑い２」）を選択する。この場合、リモコン３のカーソルキー８１ｄを操作して、その番組名の表示位置にカーソルを移動（番組名を反転表示）させた後に、決定スイッチ８１ｅを操作する。この際に、制御部１６は、選択された番組の放送日時およびチャンネル等の番組データを含む制限番組データＤ３を生成する（ステップ５２）。次いで、制御部１６は、生成した制限番組データＤ３が制限番組データ記憶部１７に既に登録されているか否かを判別する（ステップ５３）。この場合、制御部１６は、生成した制限番組データＤ３が登録されていないときには、その制限番組データＤ３を制限番組データ記憶部１７に登録する（ステップ５４）。次いで、制御部１６は、登録終了スイッチ８１ｆに対応する操作信号Ｓｏ、つまり制限番組の登録終了を指示する操作信号Ｓｏがキー入力処理部１５から出力されたか否かを判別する（ステップ５５）。一方、制御部１６は、ステップ５３において、生成した制限番組データＤ３が制限番組データ記憶部１７に既に記憶されているときには、ステップ５４を実行することなくステップ５５を実行する。
【００２５】
続いて、制御部１６は、ステップ５５において、制限番組の登録終了を指示する操作信号Ｓｏが出力されていないときには、ステップ５２〜５４を繰り返して実行する。一方、ステップ５５において、制限番組の登録終了を指示する操作信号Ｓｏが出力されたときには、番組ガイド映像Ｐｇの表示を停止すると共に、登録開始スイッチ８１ｂの操作直前に選択されていたチャンネルのテレビ映像Ｐｔの表示を再開する制御信号Ｓｃ１を映像出力部２０に出力する。次に、映像出力部２０が映像データＤｐに基づく表示用信号Ｓｅを出力することにより、テレビ映像Ｐｔの表示が再開される。
【００２６】
一方、制御部１６は、電源投入後において、図５に示す自動登録処理６０を自動的に実行する。この自動登録処理６０では、制御部１６は、レイティングデータが付加されている番組を制限番組としてユーザーが設定した制限番組に自動的に追加する。具体的には、制御部１６は、ＥＰＧデータ処理部１４から出力された番組表データＤ２に基き、レイティングデータが付加されている番組を特定し（ステップ６１）、その番組の放送日時およびチャンネル等の番組データを取得する。続いて、制御部１６は、取得した番組データを含む制限番組データＤ３が制限番組データ記憶部１７に既に登録されているか否かを判別する（ステップ６２）。この場合、該当する制限番組データＤ３が登録されていないときには、制御部１６は、取得した番組データを含む制限番組データＤ３を制限番組データ記憶部１７に登録する（ステップ６３）。
【００２７】
次に、制御部１６は、番組表データＤ２を構成するすべての番組に対してステップ６１の処理を実行したか否かを判別する（ステップ６４）。次いで、制御部１６は、ステップ６４において、全ての番組に対してステップ６１を実行していないときにはステップ６１〜６４を繰り返して実行する。一方、ステップ６２において、該当する制限番組データＤ３が制限番組データ記憶部１７に既に登録されているときには、ステップ６３を実行することなくステップ６４を実行する。次いで、制御部１６は、ステップ６４において全ての番組に対するステップ６１の実行が完了したと判別したときには自動登録処理６０を終了する。
【００２８】
次に、制御部１６は、制限番組データ記憶部１７に記録されている各制限番組データＤ３に基づき、登録された各制限番組の中から放送開始時刻が最も早い制限番組を特定する（制限番組登録処理５０のステップ５６）。次いで、制御部１６は、特定した制限番組の放送開始時刻よりも所定時間（例えば１分）前の時刻を開始時刻Ｔとしてタイマ１８に設定すると共に、タイマ１８にカウントを開始させて（ステップ５７）、制限番組登録処理５０を終了する。
【００２９】
一方、開始時刻Ｔが到来した際には、タイマ１８が報知信号Ｓｔを制御部１６に出力する。これに応じて、制御部１６は、図６に示す表示制限処理７０を実行する。この表示制限処理７０では、制御部１６は、まず、上記した制限番組登録処理５０のステップ５４および自動登録処理６０のステップ６３において登録した制限番組の制限番組データＤ３を読み出す。次に、制御部１６は、その制限番組データＤ３に含まれているチャンネル（制限番組のチャンネル）と表示中のテレビ映像Ｐｔ（番組）のチャンネルとが一致しているか否かを判別する（ステップ７１）。この場合、両チャンネルが一致しているときには、制御部１６は、図７に示すメッセージ映像Ｐｍを表示させる制御信号Ｓｃ１を映像出力部２０に出力する（ステップ７２）。次いで、映像出力部２０は、制御信号Ｓｃ１に従い、メッセージ映像Ｐｍをテレビ映像Ｐｔに重ね合わせて表示させるための表示用信号Ｓｅを生成して表示部２１に出力する。これにより、同図に示すように、メッセージ映像Ｐｍがテレビ映像Ｐｔに重ね合わされて表示される。この場合、メッセージ映像Ｐｍには、制限番組の放送開始を予告するメッセージと、表示制限を解除する際に暗証番号の入力が必要である旨を示すメッセージとが含まれている。ここで、制限番組の表示制限を解除する際には、例えば、リモコン３の選局スイッチ８１ｃを数字スイッチとして用いて、予め設定した暗証番号を入力する。
【００３０】
続いて、制御部１６は、暗証番号に対応する操作信号Ｓｏが出力されたか否か、つまり暗証番号がリモコン３を介して入力されたか否かを判別する（ステップ７３）。この場合、制御部１６は、暗証番号が入力されていないときには、制限番組の放送開始時刻が到来したか否かを判別し（ステップ７４）、放送開始時刻が到来していないときには、ステップ７３を実行する。したがって、制御部１６は、放送開始時刻が到来するまで暗証番号が入力されたか否かの判別を繰り返して実行する。この際に、暗証番号が入力されることなく制限番組の放送開始時刻が到来したときには、制御部１６は、制限番組のテレビ映像Ｐｔの表示制限処理を実行する（ステップ７５）。具体的には、制御部１６は、例えば、図８に示す視聴制限画面Ｐｒを表示させるための制御信号Ｓｃ１を映像出力部２０に出力する。次いで、映像出力部２０は、制御信号Ｓｃ１に従って視聴制限画面Ｐｒを表示させるための表示用信号Ｓｅを生成して表示部２１に出力する。これにより、同図に示すように、テレビ映像Ｐｔおよびメッセージ映像Ｐｍに代えて、視聴制限画面Ｐｒがスクリーンパネル３２の全面に表示されて、制限番組のテレビ映像Ｐｔの表示が制限される。また、制御部１６は、音声信号Ｓｓの出力を停止させる制御信号Ｓｃ１を音声出力部２２に出力する。これにより、スピーカ２３からの音声の出力が停止される。したがって、制限番組の視聴が制限される。
【００３１】
続いて、制御部１６は、制限番組データ記憶部１７に記録されている各制限番組データＤ３に基づき、登録された各制限番組の中から放送開始時刻が上記の制限番組の次に早い制限番組を特定する（ステップ７６）。次に、制御部１６は、特定した制限番組の放送開始時刻よりも所定時間（例えば１分）前の時刻を開始時刻Ｔとしてタイマ１８に設定すると共に、タイマ１８にカウントを開始させて（ステップ７７）、この表示制限処理７０を終了する。
【００３２】
一方、ステップ７３において、暗証番号が入力されたときには、制御部１６は、入力された暗証番号と予め登録されている暗証番号とが一致するか否を判別する（ステップ７８）。この際に、制御部１６は、両番号が一致しないときには、ステップ７３を実行し、両番号が一致するときには、メッセージ映像Ｐｍの表示を停止させる制御信号Ｓｃ１を映像出力部２０に出力する（ステップ７９）。これにより、メッセージ映像Ｐｍの表示が停止されてテレビ映像Ｐｔがスクリーンパネル３２に表示される。この場合、制御部１６は、上記のステップ７５（制限番組についての表示制限）を実行することなくステップ７８，７９を実行する。つまり、制限番組の放送開始時刻の到来に先立って暗証番号が正しく入力されたときには、制御部１６は、制限番組についての表示制限処理の実行を停止する。
【００３３】
なお、上記のステップ７１において、制限番組のチャンネルと表示中の番組のチャンネルとが異なるときには、制御部１６は、ステップ７２〜７５，７８，７９を実行することなくステップ７６，７７を実行する。この場合、制御部１６は、表示中の番組のチャンネルから他のチャンネルへのチャンネル切替えが行われたか否かを、制限番組の放送開始時刻が到来するまで監視し、その時刻の到来以前にチャンネル切替えが行われたときには、表示制限処理７０を再び実行する。
【００３４】
このように、このテレビ１によれば、視聴が制限されている制限番組の放送開始時刻よりも所定時間前の時点で、制御部１６がその制限番組が視聴制限されている旨を報知することにより、制限番組を登録したユーザーがその制限番組を視聴しようとしたときに、その登録の事実を忘れていたとしても、その制限番組が表示制限される旨を放送開始前にユーザーに確実に認識させることができる。このため、表示制限の解除を制限番組の放送開始時間の到来に先立て行うことができる結果、番組の最初の部分を見逃すことなく、視聴を希望する番組を最初から確実に視聴することができる。
【００３５】
また、このテレビ１によれば、暗証番号がリモコン３を介して入力されたときに、制御部１６がその制限番組の表示制限処理の実行を停止することにより、例えば制限番組を登録した大人以外の子供等によって表示制限が容易に解除される事態を確実に防止することができる。また、このテレビ１によれば、制御部１６が、チューナ１１によって受信されたレイティングデータに基づいて表示制限処理を実行することにより、手動による制限番組の登録作業を省略することができる。したがって、制限番組データ記憶部１７に対して確実かつ極めて容易に制限番組データＤ３を登録することができる。
【００３６】
なお、本発明は、上記の構成に限定されない。例えば、光学エンジン３１およびスクリーンパネル３２を備えて表示部２１を構成した例について上記したが、表示部として、ＣＲＴ、液晶表示パネルおよびプラズマディスプレイ等を採用することもできる。また、スピーカ２３を備えたテレビ１を例に挙げて説明したが、必ずしもスピーカを備えている必要はなく、外部スピーカから音声を出力するタイプのテレビに本発明を適用することもできる。さらに、テレビに限定されず、ＶＴＲ、ＤＶＤ再生装置、ディジタルチューナーおよびパソコン等のテレビ放送を受信可能な各種の装置（本発明における受信装置）に本発明を適用することができる。
【００３７】
また、リモコン３の登録開始スイッチ８１ｂを操作したときに制限番組登録処理５０を開始する例について上記したが、登録処理５０の開始に先立って暗証番号の入力を要求して、暗証番号が正しく入力されたときにのみ登録処理５０を実行する構成を採用することもできる。さらに、レイティングデータが付加された全ての番組を表示制限の対象として自動登録する例について上記したが、レイティングデータに複数の等級が存在するときには、これらの等級の中から表示制限の対象とする等級を選択可能な構成を採用することもできる。また、制限番組の手動による登録、および制限番組の自動登録の両者を実行する例について上記したが、これらのいずれか一方のみを実行する構成を採用することもできる。
【図面の簡単な説明】
【００３８】
【図１】テレビ１の構成を示すブロック図である。
【図２】テレビ１の正面図である。
【図３】制限番組登録処理５０のフローチャートである。
【図４】番組ガイド映像Ｐｇの表示画面図である。
【図５】自動登録処理６０のフローチャートである。
【図６】表示制限処理７０のフローチャートである。
【図７】メッセージ映像Ｐｍおよびテレビ映像Ｐｔの表示画面図である。
【図８】視聴制限画面Ｐｒの表示画面図である。
【符号の説明】
【００３９】
１  テレビ、２  本体部、３  リモコン、１１  チューナ、１２  プリセットデータ記憶部、１３  選局処理部、１４  ＥＰＧデータ処理部、１５  キー入力処理部、１６  制御部、１７  制限番組データ記憶部、１８  タイマ、１９  映像音声処理部、２０  映像出力部、２１  表示部、２２  音声出力部、２３  スピーカ
【図１】
2006295279.tif 000003
【図２】
2006295279.tif 000004
【図３】
2006295279.tif 000005
【図４】
2006295279.tif 000006
【図５】
2006295279.tif 000007
【図６】
2006295279.tif 000008
【図７】
2006295279.tif 000009
【図８】
2006295279.tif 000010